(57)【要約】【課題】放電ランプによって生じるＥＭＩを効果的に抑制すること。【解決手段】光源は、放電ランプ（ＬＡ）と、放電ランプを駆動するためのブリッジ回路と、レフレクタ（ＲＥ）とを備え、ブリッジ回路は、ランプ接続ターミナル（Ｔ３、Ｔ４）とブリッジ回路の入力ターミナル（Ｔ１）との間に結合されたコンデンサ（Ｃ１）を備える。レフレクタと双方のコンデンサによって形成されるブリッジ入力ターミナルとの間に導電性パスが生じるようランプ接続ターミナルとレフレクタとの間に別のコンデンサ（Ｃ２）を接続することにより放電ランプによって生じたＥＭＩは、抑制されるようになっている。【選択図】図１
2008532220.tif 000002
【特許請求の範囲】
【請求項１】
放電ランプと、
レフレクタと、
ＤＣ電源電圧からランプ電流を発生するためのランプドライバー回路とを備え、このランプドライバー回路には、
電源の極に結合するための第１および第２入力ターミナルと、
第１および第２ランプ接続ターミナルと、
前記第１接続ターミナルを前記第１入力ターミナルに接続する第１チェーンとが設けられている光源において、
この光源は前記レフレクタと前記第１のランプ接続ターミナルとを接続する第２チェーンを備えることを特徴とする光源。
【請求項２】
前記第２チェーンは、第２コンデンサを含む請求項１記載の光源。
【請求項３】
前記ランプドライバー回路は、ハーフブリッジ回路を備え、このハーフブリッジ回路には、
前記入力ターミナルの間に結合された２つのスイッチング素子の直列回路構造と、
前記ランプ接続ターミナルと前記第１コンデンサの直列回路構造を含む、前記スイッチング素子のうちの１つに分流する負荷チェーンとが設けられている請求項１又は２記載の光源。
【請求項４】
前記ハーフブリッジ回路は、前記第１ランプターミナルと前記第２入力ターミナルとの間に結合された第３コンデンサを含む請求項３記載の光源。
【請求項５】
前記ランプドライバー回路は、フルブリッジ回路を含み、このフルブリッジ回路には、
前記入力ターミナルの間に結合された２つのスイッチング素子の第１直列回路構造と、
前記入力ターミナルの間に結合された２つのスイッチング素子の第２直列回路構造と、
前記第１直列回路構造内の前記スイッチング素子の共通ターミナルと前記第２直列回路構造内の前記スイッチング素子の共通ターミナルとを接続し、前記ランプ接続ターミナルを含む負荷チェーンとが設けられている請求項１記載の光源。
【請求項６】
レフレクタと、
ＤＣ電源電圧からランプ電流を発生するためのランプドライバー回路を備え、このランプドライバー回路には、
電源の極に結合するための第１および第２入力ターミナルと、
第１および第２接続ターミナルと、
前記第１ランプ接続ターミナルを前記第１入力ターミナルに接続する、第１コンデンサを含む第１チェーンとが設けられている、ランプドライバーとレフレクタの組み合わせ装置において、
この光源は前記レフレクタと前記第１ランプ接続ターミナルとを接続する第２チェーンを含むことを特徴とするランプドライバーとレフレクタの組み合わせ装置。
【発明の詳細な説明】
【技術分野】
【０００１】
本発明は、
放電ランプと、
レフレクタと、
ＤＣ電源電圧からランプ電流を発生するためのランプドライバー回路とを備え、このランプドライバー回路には、
電源の極に結合するための第１および第２入力ターミナルと、
第１および第２ランプ接続ターミナルと、
前記第１接続ターミナルを前記第１入力ターミナルに接続する第１チェーンとが設けられている光源に関する。
【０００２】
本発明は、
レフレクタと、
ＤＣ電源電圧からランプ電流を発生するためのランプドライバー回路を備え、このランプドライバー回路には、
電源の極に結合するための第１および第２入力ターミナルと、
第１および第２接続ターミナルと、
前記第１ランプ接続ターミナルを前記第１入力ターミナルに接続する、第１コンデンサを含む第１チェーンとが設けられている、ランプドライバーとレフレクタの組み合わせ装置に関する。
【背景技術】
【０００３】
冒頭に記載した光源は、米国特許第6,486,614B1号から知られている。ＨＩＤランプは、作動中、極めて短い放電アークを有するので、かかる光源に含まれる放電ランプはＨＩＤランプである。結果として放電アークは第１近似では点光源であるので、レフレクタ（反射器）の形状および寸法によって光の空間分布を制御できる。かかる光源に関連する問題は、放電ランプが一般にＥＭＩを生じさせるということである。光源によって発生されるＥＭＩを抑制するために、レフレクタはアース電位に接続されていることが多い。公知の光源では、この接続は別個のワイヤーによって行われる。（放電ランプに給電するワイヤーの外に）このような別個のワイヤーが必要であることは、公知の光源の大きな欠点となっている。
【発明の開示】
【発明が解決しようとする課題】
【０００４】
本発明の目的は、別のワイヤーを使用しなくても、光源によって生じるＥＭＩを効果的に抑制できる光源を提供することにある。
【課題を解決するための手段】
【０００５】
従って、冒頭記載の光源は、レフレクタと第１ランプ接続ターミナルとを接続する第２チェーンを含むことを特徴とする。
【０００６】
同様に、第２段落に記載したランプドライバーとレフレクタの組み合わせ装置は、光源がレフレクタと第１ランプ接続ターミナルとを接続する第２チェーンを含むことを特徴とする。
【０００７】
本発明に係わる光源では、第１チェーンと第２チェーンでは、レフレクタと第１入力ターミナルとの間を導電接続する。このような導電接続により、ＥＭＩが効果的に抑制されると共に、レフレクタをアース電位に接続するための別個のワイヤーが不要となる。第１ランプ接続ターミナルとレフレクタとは互いに極めて接近しているので、第２チェーンを極めて短くすることができる。
【０００８】
レフレクタを第１ランプターミナルに直接導電接続することにより、第２チェーンを形成できる。これとは異なり、第２チェーンがＤＣ電流がレフレクタと放電ランプとの間でＤＣ電流が流れるのを防止するように、第２コンデンサを含むことができる。
【０００９】
前記ランプドライバー回路は、ハーフブリッジ回路を備え、このハーフブリッジ回路には、
前記入力ターミナルの間に結合された２つのスイッチング素子の直列回路構造と、
前記ランプ接続ターミナルと前記第１コンデンサの直列回路構造を含む、前記スイッチング素子のうちの１つに分流する負荷チェーンとが設けられている、本発明に係わる光源で良好な結果が得られた。
【００１０】
第１ブリッジ回路は、第１ランプターミナルと第２入力ターミナルとの間に結合された第３コンデンサを含むことができる。かかるブリッジ回路の場合、レフレクタは第１入力ターミナルと第２入力ターミナルの双方に導電接続され、よってＥＭＩの抑制を高めることができる。
【００１１】
ランプドライバー回路が、フルブリッジ回路を含み、このフルブリッジ回路には、
前記入力ターミナルの間に結合された２つのスイッチング素子の第１直列回路構造と、
前記入力ターミナルの間に結合された２つのスイッチング素子の第２直列回路構造と、
前記第１直列回路構造内の前記スイッチング素子の共通ターミナルと前記第２直列回路構造内の前記スイッチング素子の共通ターミナルとを接続し、前記ランプ接続ターミナルを含む負荷チェーンとが設けられている本発明に係わる光源ででも、良好な結果が得られた。
【発明を実施するための最良の形態】
【００１２】
以下、添付図面を参照し、本発明の実施形態について説明する。
【００１３】
図１において、Ｔ１およびＴ２は、それぞれ電源の極に結合するための第１および第２入力ターミナルである。入力ターミナルＴ１およびＴ２は、スイッチング素子Ｑ１とＱ２との直列回路構造および第１コンデンサＣ１と第３コンデンサＣ３との直列回路構造によって接続されている。スイッチング素子Ｑ１とＱ２の共通ターミナルは、インダクタＬ、ランプ接続ターミナルＴ４、ランプＬＡおよびランプ接続ターミナルＴ３の直列回路構造により、第１コンデンサＣ１と第３コンデンサＣ３の共通ターミナルに接続されている。インダクタＬ、ランプ接続ターミナルＴ３、ランプＬＡ、ランプ接続ターミナルＴ４および第１コンデンサＣ１は、負荷チェーン分流スイッチング素子Ｑ１を形成している。ＲＥはレフレクタであり、Ｃ２はレフレクタＲＥをランプ接続ターミナルＴ３に接続する第２コンデンサである。図１に示された実施形態では、ランプ接続ターミナルＴ３は第１ランプ接続ターミナルを形成し、ランプ接続ターミナルＴ４は第２ランプ接続ターミナルを形成し、第２コンデンサＣ２は、レフレクタおよび第１ランプ接続ターミナルを接続する第２チェーンを形成している。第１コンデンサＣ１は、第１ランプ接続ターミナルＴ３を第１入力ターミナルＴ１に接続する第１チェーンを形成し、レフレクタＲＥ、第２コンデンサＣ２および放電ランプＬＡを除く、図１に示された光源のすべての部品は、ハーフブリッジ回路であるドライバー回路を形成している。
【００１４】
図１に示された光源の作動は次のとおりである。
すなわち静止、すなわち定常動作中、制御回路（図１には示されず）は、スイッチング素子Ｑ１およびＱ２を高周波で、交互に導通状態と非導通状態となるように切り換える。このように、放電ランプＬＡを通過する高周波のＡＣ電流が発生される。このような高周波のＡＣ電流により、放電ランプはＥＭＩを発生する。図１に示された光源では、第２コンデンサＣ２と第１コンデンサＣ１の直列回路構造によって、レフレクタＲＥと第１入力ターミナルＴ１との間に導電性パスが形成され、このパスは光源によって生じたＥＭＩをかなりの程度抑制する。図１に示された光源では、レフレクタＲＥと第２入力ターミナルとの間に別の導電性パスが存在する。この第２の低インピーダンスの導電性パスは、第２コンデンサＣ２と第３コンデンサＣ３によって形成され、この第２の導電性パスは、レフレクタＲＥによって生じたＥＭＩを更に抑制する。
【００１５】
第１コンデンサＣ１または第３コンデンサＣ３をドライバー回路から外しても、ドライバー回路は満足できるように作動し、ＥＭＩの抑制が生じることに注目することが重要である。
【００１６】
コンデンサＣ２が第１ランプターミナルへのレフレクタの導電接続に置換された場合でもＥＭＩの効果的な抑制が生じることに注目することが重要である。換言すれば、第２チェーンを簡単な導電接続とすることができる。
【００１７】
図２では、同様な部品に同一の参照番号が付けてある。図２に示された実施形態は、第１コンデンサＣ１と第３コンデンサＣ３の直列回路構造が、第３スイッチング素子Ｑ３と第４スイッチング素子Ｑ４との直列回路構造に置換されているという点で、図１に示された実施形態と異なっている。ランプ接続ターミナルＴ４と第１入力ターミナルＴ１との間には第１コンデンサＣ１が存在し、この実施形態でも、第１コンデンサＣ１は第１ランプ接続ターミナルを第１入力ターミナルに接続する第１チェーンを形成している。この実施形態では、ランプ接続ターミナルＴ４は第１ランプ接続ターミナルを形成する。従って、ランプ接続ターミナルＴ３は第２ランプ接続ターミナルを形成し、第２コンデンサＣ２は、接続ターミナルＴ４とレフレクタＲＥとの間に接続されると共に、レフレクタＲＥと第１ランプ接続ターミナルとを接続する第２チェーンを形成している。レフレクタＲＥ、第２コンデンサＣ２および放電ランプＬＡを除く、図２に示された光源のすべての部品は、フルブリッジ回路であるドライバー回路を形成している。
【００１８】
図２に示された光源の作動は次のとおりである。すなわち静止、すなわち定常作動中、光源は低周波で交互に第１作動モードと第２作動モードとなるように制御される。第１作動モードでは、図２に示されていない制御回路がスイッチング素子Ｔ２およびＴ３を非導通状態に制御し、スイッチング素子Ｔ４を導通状態に制御する。スイッチング素子Ｔ１は、高周波（例えば１０ＫＨｚ〜５０ＫＨｚのレンジ内）で交互に導通状態と非導通状態となるように切り換えられる。第２作動モードでは、制御回路は、スイッチング素子Ｔ１およびＴ４を非導通状態に制御し、スイッチング素子Ｔ３を導通状態に制御する。スイッチング素子Ｔ３は、高周波で交互に導通状態と非導通状態となるように切り換えられる。第１作動モードと第２作動モードに交互に切り換えることにより、低周波の矩形波形状をしたＡＣ放電ランプ電流が発生される。この電流のために、レフレクタＲＥによって発生されるＥＭＩは、第２コンデンサＣ２と第１コンデンサＣ１の直列回路構造によって形成される第１入力ターミナルとレフレクタＲＥとの間の導電性パスによってかなりの程度抑制される。
【００１９】
図２に示された実施形態でも、第２コンデンサＣ２が導電性接続部に置換されているケースで有効なＥＭＩ抑制が実現される。
【図面の簡単な説明】
【００２０】
【図１】ハーフブリッジ回路が設けられたランプドライバーを備える、本発明に係わる光源の一実施形態の略図を示す。
【図２】フルブリッジ回路が設けられたランプドライバーを備える、本発明に係わる光源の一実施形態の略図を示す。
【符号の説明】
【００２１】
Ｃ１    第１コンデンサ
Ｃ２    第２コンデンサ
Ｃ３    第３コンデンサ
Ｌ      インダクタ
ＬＡ    ランプ
Ｑ１，Ｑ２    スイッチング素子
ＲＥ    レフレクタ
Ｔ１    第１入力ターミナル
Ｔ２    第２入力ターミナル
Ｔ３，Ｔ４    ランプ接続ターミナル
【図１】
2008532220.tif 000003
【図２】
2008532220.tif 000004
【国際調査報告】
2008532220.tif 000005
2008532220.tif 000006
2008532220.tif 000007
2008532220.tif 000008